(57)【要約】【課題】低コストで、高い施工性を有し、給水管の移動を防止して貯水槽に確実な給水を行うことができる。【解決手段】  貯水槽１００内に植栽コンテナ２００を配設する植栽設備であって、貯水槽１００の隣り合う隅に略方形の基台１０３を設け、対となる突起１０４・１０４を基台１０３の上面から上方に突出形成すると共に、給水管３００の幅と略同一間隔で立設させ、基台１０３の上面に突起１０４・１０４に挟まれるように給水管３００を載置して、給水管３００を略定置保持する。【選択図】図１
2005304310.tif 000002
【特許請求の範囲】
【請求項１】
貯水槽内に植栽コンテナを配設する植栽設備であって、貯水槽の略上方で貯水槽内に給水可能な位置に給水管を略定置保持する保持部を貯水槽に設け、保持部で給水管を保持することを特徴とする植栽設備。
【請求項２】
貯水槽を隣接並設して各貯水槽内に植栽コンテナを配設する植栽設備であって、貯水槽の略上方で貯水槽内に給水可能な位置に給水管を保持する保持部を隣接する貯水槽相互により構成し、保持部で給水管を保持することを特徴とする植栽設備。
【請求項３】
貯水槽を隣接並設して各貯水槽内に植栽コンテナを配設する植栽設備であって、貯水槽の略上方で貯水槽内に給水可能な位置に給水管を保持する貯水槽とは別体の保持部を、隣接する貯水槽相互の側壁に取り付け、保持部で給水管を保持することを特徴とする植栽設備。
【請求項４】
前記保持部を基面に対して上方に突出する複数の突起で構成し、突起間で給水管を保持することを特徴とする請求項１、２又は３記載の植栽設備。
【請求項５】
前記保持部を凹溝で若しくは凹溝を有する部材で構成し、凹溝で給水管を保持することを特徴とする請求項１、２又は３記載の植栽設備。
【請求項６】
前記給水管に突出片を設け、前記保持部で突出片を支持することを特徴とする請求項１〜５の何れかに記載の植栽設備。
【請求項７】
貯水槽若しくは植栽コンテナに保水透水部材若しくは不透水部材に孔を穿設してなる部材を設けることを特徴とする請求項１〜６の何れかに記載の植栽設備。
【発明の詳細な説明】
【技術分野】
【０００１】
本発明は、主として植栽コンテナを配設した貯水槽内に給水管で給水する植栽設備に関する。
【背景技術】
【０００２】
植栽コンテナを配設した貯水槽内に給水管で給水する植栽設備に関連する公知技術として特許文献１、２がある。特許文献１には、隣接して並設する各貯水槽内に植栽コンテナを配設する植栽設備で、貯水槽の連係部上で且つ植栽コンテナの内向きへこみ部相互間で形成される空間に給水管を配置することが開示されている。また、特許文献２には、複数敷設する貯水槽内に植栽コンテナを配設し、側壁上端に切欠凹部が形成された貯水樋を各貯水槽相互間に敷設し、貯水樋の切欠凹部で給水管を保持することが開示されている。
【０００３】
【特許文献１】特開２００１−７８５９４号公報
【特許文献２】特開平１１−７５５６８号公報
【発明の開示】
【発明が解決しようとする課題】
【０００４】
ところで、特許文献１の植栽設備は、貯水槽の連係部上に位置する給水管が植栽コンテナの内向きへこみ部相互間の空間内で移動してしまい、例えば隣接する貯水槽の一方だけに給水され、他方には給水されないという不具合を生ずる。他方で、特許文献２の植栽設備は、給水管を切欠凹部に定置して移動を防止することができるものの、施工時や施行後に給水管を追加配設する際に別途に貯水樋を所要経路に敷設する必要がある。そのため、高コストになると共に、施工作業に労力を要する。
【０００５】
本発明は上記課題に鑑み提案するものであって、低コストで、高い施工性を有し、給水管の移動を防止して貯水槽に確実な給水を行うことができる植栽設備を提供することを目的とする。
【課題を解決するための手段】
【０００６】
本発明の植栽設備は、貯水槽内に植栽コンテナを配設する植栽設備であって、貯水槽の略上方で貯水槽内に給水可能な位置に給水管を略定置保持する保持部を貯水槽に設け、保持部で給水管を保持することを特徴とし、例えば基台上面と突起とで、或いは溝等で保持部を構成し、貯水槽の隅部近傍や側壁略中央等の側壁上端に保持部を設ける、或いは貯水槽の略中央部に保持部を設ける。
【０００７】
また、本発明の植栽設備は、貯水槽を隣接並設して各貯水槽内に植栽コンテナを配設する植栽設備であって、貯水槽の略上方で貯水槽内に給水可能な位置に給水管を保持する保持部を隣接する貯水槽相互により構成し、保持部で給水管を保持することを特徴とし、例えば一方の貯水槽に保持部の一部を設け、隣接する他方の貯水槽に保持部の残部を設け、前記一部と残部の所定箇所を当接して保持部を構成する。前記保持部の一部と残部は、例えば対となる基台上面半分と突起、或いは溝に沿って分割された溝の半分等とする。
【０００８】
また、本発明の植栽設備は、貯水槽を隣接並設して各貯水槽内に植栽コンテナを配設する植栽設備であって、貯水槽の略上方で貯水槽内に給水可能な位置に給水管を保持する貯水槽とは別体の保持部を、隣接する貯水槽相互の側壁に取り付け、保持部で給水管を保持することを特徴とし、例えば隣接する貯水槽の側壁に保持部を係合等で設置する。前記保持部は、例えば下面に連係凹部を有する別体の保持部材等とする。
【０００９】
更に、本発明の植栽設備は、前記保持部を基面に対して上方に突出する複数の突起で構成し、突起間で給水管を保持することを特徴とし、例えば給水管の幅より僅かに大きい或いは略同一の間隔を開けて基面の両側から上方に突出する突起を設け、突起間に給水管を配設する。前記基面及び突起は、例えば貯水槽の側壁上端に基面と対となる突起を形成する、或いは貯水槽の側壁上端に基面の一部と一方の突起を形成し、前記貯水槽と隣接する貯水槽の側壁上端に、前記基面の一部と対応する基面の一部と、前記一方の突起と対応する他方の突起を形成する、或いは基面と対となる突起を有する保持部材を隣接する貯水槽側壁に係合する等で貯水槽上端近傍に設置する。
【００１０】
更に、本発明の植栽設備は、前記保持部を凹溝で若しくは凹溝を有する部材で構成し、凹溝で給水管を保持することを特徴とする。前記凹溝は、例えば給水管の幅より僅かに大きい或いは略同一の幅を有する凹溝を貯水槽の側壁上端に形成する、或いは凹溝の溝に沿って分割した半分など一部を一方の貯水槽の側壁上端に形成し、凹溝の対となる半分など残部を隣接する他方の貯水槽の側壁上端に形成し、前記一部と残部の所定箇所を当接して凹溝を構成する、或いは凹溝を有する部材を隣接する貯水槽側壁に係合する等で貯水槽上端近傍に設置する。
【００１１】
更に、本発明の植栽設備は、前記給水管に突出片を設け、前記保持部で突出片を支持することを特徴とし、例えば給水管の両側方に突出する突出片を設け、保持部となる突起の頂部で両突出片をそれぞれ支持する、若しくは保持部となる凹溝の側部上端で両突出片をそれぞれ支持する構成とする。
【００１２】
更に、本発明の植栽設備は、貯水槽若しくは植栽コンテナに保水透水部材若しくは不透水性部材に孔を穿設してなる部材を設けることを特徴とし、例えば植栽コンテナに充填される植物育成材の上部に保水透水部材を設ける、或いは貯水槽内に保水透水部材を設ける、或いは不透水性のブロック等に孔を穿設した部材を設ける等とする。
【００１３】
尚、本発明には、各構成に他の構成に追加し、或いは各構成の一部を他の構成に変更し、或いは各構成の一部を部分的な作用効果を奏する限度で削除したものが含まれ、特徴的な構成を貯水槽、貯水設備、施工方法の表現で特定したものも含まれる。
【発明の効果】
【００１４】
本発明の植栽設備は、保持部で給水管を略定置保持することにより、給水管の移動を防止して、貯水槽に確実な給水を行うことができると共に、貯水樋を所要経路に敷設する必要がないことから、低コストで、施工性に優れる。更に、内向きへこみ部が側壁に設けられている植栽コンテナを用い、隣接する植栽コンテナの内向きへこみ部相互間で給水管の配設用空間を形成し、前記空間で給水管を保持する場合には、貯水槽への確実な給水の効果に加え、視認される植栽領域の連続性を確保し、高度な美観を実現することができる。
【００１５】
また、貯水槽に加えて保水透水部材を設けることで、植栽がされていない領域であっても、長期に亘って温度上昇を抑制することができる。
【発明を実施するための最良の形態】
【００１６】
以下、本発明の植栽設備について具体的な実施形態に基づき説明するが、本発明は実施形態に限定されるものではない。
【００１７】
先ず、第１実施例の植栽設備は、図１に示すように、屋上等の敷設面に単独の貯水槽１００を敷設し、貯水槽１００内に植物２０７を栽培する植栽コンテナ２００を載置して設け、貯水槽１００に給水管３００を定置して配設し、その給水管３００で貯水槽１００内に給水するものである。
【００１８】
貯水槽１００は、図１及び図２に示すように、平面視略正方形の上面開口の箱形であり、側壁１０１と底板１０２を有し、内部に貯水される。貯水槽１００の四隅の内、隣り合う二隅には、略直方体形で中実或いは中空の基台１０３が側壁１０１と一体形成され、基台１０３の上面は側壁１０１の上端と同一高さで、側壁１０１の上端と連なる平面になっている。基台１０３の上面には、２つの円柱形或いは円筒形の突起１０４が上方に突出して一体形成され、突起１０４は側壁１０１の上端位置から上方に突出しており、また、突起１０４・１０４は給水管３００の幅より僅かに広い間隔或いは給水管３００の幅と略同一間隔を開けて立設している。
【００１９】
植栽コンテナ２００は、図１に示すように、平面視略正方形の上面開口の箱形であり、側壁２０１と底板２０２を有し、平面視の形状及び大きさは貯水槽１００と略同一となっている。側壁２０１の下部には、側壁２０１を内方へ略直角に湾曲して内向きへこみ部２０３が形成されている。底板２０２には、下端面に吸水孔が穿設されている截頭円錐形の吸水凸部２０４と、吸水凸部２０４より僅かに長い断面視Ｌ字形の脚部２０５とが、下方に突出して形成されており、脚部２０５を貯水槽１００の底板１０２上に載置した場合に、吸水凸部２０４の下端面と貯水槽１００の底板１０２との間に間隙４０１が形成される。更に、脚部２０５は貯水槽１００の側壁１０１の高さより若干長く形成されており、底板２０２は貯水槽１００の側壁１０１の上端より高い位置に配置され、植栽コンテナ２００の底板２０２と貯水槽１００の水面との間に空気層４０２が形成される。
【００２０】
植栽コンテナ２００の内部には、植物育成材２０６が充填され、植物育成材２０６に植物２０７が栽培されている。植物育成材２０６は、植物２０７を栽培可能であれば適宜のものを用いることが可能であり、例えばパーライト、バーミキュウライト、ピートモス、バーク堆肥、チャフコン、木質腐朽有機物、ゼオライト、下水や浄水場から発生する汚泥、汚泥の焼却灰、建築現場で発生する廃材等、又はこれらの内の数種類を適宜選定して用いることができ、更に、前記例の育成材に、必要に応じて根腐れ防止用の珪酸塩白土等を植物２０７の種類、環境等に応じて適宜選定して加え、これらを良好な保水透水性、排水性が得られるバランスで配合したものとすることができる。更に、前記例の育成材を単体で若しくは配合して固化しブロック状にした軽量育成材や、スポンジやヤシガラなど繊維材等を用いる軽量育成材等、良好な通気性が得られる軽量育成材を植物育成材２０６として用いると、植物２０７の根が傷むことを防止できると共に、例えば軽量育成材の加重は通常の客土の約１／３程度であることから、建物の屋上を敷設面とする場合等に負荷される荷重を軽減することができて好適である。
【００２１】
上記植栽設備では、貯水槽１００内に貯水された水分が、植栽コンテナ２００の吸水凸部２０４の吸水孔から植物育成材２０６の毛細管現象で吸い上げられ、植栽コンテナ２００の植物２０７に水分が供給される。吸水の際には、間隙４０１により、良好な毛細管現象が維持され表面張力等で吸水孔からの吸水が不能になることが防止される。尚、植栽コンテナ２００の底板２０２には、排水及び通気機能を有する孔（図示せず）が多数穿設され、前記孔により、植栽コンテナ２００内の余剰水を貯水槽１００内に排水することができると共に、空気層４０２から新鮮な空気を常時植栽コンテナ２００内の植物育成材２０６や植物２０７の根等に導入することができ、植物育成材２０６の腐敗や植物２０７の根腐れを防止することができる。
【００２２】
そして、第１実施例の植栽設備では、図１に示すように、内向きへこみ部２０３で形成される空間内に貯水槽１００の突起１０４を配置し、基台１０３の上面に載置して且つ対となる突起１０４・１０４相互間に配置して給水管３００を設け、対の突起１０４・１０４で給水管３００を定置保持する。給水管３００は、例えば多孔質パイプとするが、染出パイプ、ドリップパイプ等、給水可能なものであれば適宜である。
【００２３】
上記第１実施例の植栽設備は、突起１０４・１０４で給水管３００を定置保持し、給水管３００を貯水槽１００の上方の正確な位置に保持することができるので、貯水槽１００へ確実に給水することができる。更に、突起１０４・１０４間に給水管３００を配置するだけで、給水管３００の定置が可能であることから、給水管３００の配設作業が容易で、熟練した人でなくても容易に施工を行うことができる。更に、給水管３００は突起１０４・１０４間に配設されるので、施工時等に給水管３００を植栽コンテナ２００の脚部２０５で踏みつぶすこと等を防止できる。更に、給水管３００を植栽コンテナ２００の内向きへこみ部２０３に当接する程度の大きさとせずとも、給水管３００を定置保持することができるので、かかる点からも給水管３００の損傷を防止できる。更に、給水管３００で貯水槽１００に水分を供給し、貯水槽１００内の水分が毛細管現象で植物２０７に供給されるので、植物２０７を良好な状態で長期に亘って栽培し、美観に優れた植栽領域を実現することができる。また、太陽光が当たりにくい植栽コンテナ２００の下方に貯水されるので、水分の腐敗を防止することができる。
【００２４】
尚、断面視円形の給水管３００の周壁が基台１０３及び突起１０４・１０４に当接する構成とすると、給水管３００の下部を基台１０３の上面で確実に支持し、且つ給水管３００の幅方向を突起１０４・１０４で確実に保持し、給水中や施工時等に給水管３００が移動することを完全に防止して、給水の確実性を一層高めることができ好適である。また、貯水槽１００や後述する植栽コンテナ２００の材質、製造方法は適宜であるが、例えば真空成形、圧空成形、プレス成形で製造すると、安価に短納期で製造することが可能となって好適である。
【００２５】
更に、第１実施例の植栽設備は、以下の第２〜第４実施例の如く変形することが可能である。第２実施例の植栽設備では、図３に示すように、例えば貯水槽１００の隣り合う二隅に於いて、貯水槽１００の側壁１０１に対となる矩形板状の突起１０４ａ・１０４ａをそれぞれ一体形成し、給水管３００の幅より僅かに幅広な間隔で側壁１０１の上端から対となる突起１０４ａ・１０４ａを上方に突出すると共に、基台１０３を設けない構成であって、他の構成は第１実施例と同様である。第２実施例の植栽設備は第１実施例と同様の効果を奏すると共に、貯水槽１００内の貯水空間をより大きく確保することができる。更に、貯水槽１００を真空成形等で安価に製造することができる。
【００２６】
第３実施例の植栽設備では、図４に示すように、例えば貯水槽１００の隣り合う二隅に略立法体形で中実の基台１０３を設け、基台１０３の上面に断面視略Ｕ字形或いは円弧状で給水管３００の幅より僅かに幅広の凹溝１０５を形成し、隣り合う基台１０３・１０３の凹溝１０５・１０５を、その長手方向を一つの側壁の長手方向に揃えるなど同一方向とすると共に一直線になるように配設する。他の構成は第１実施例と同様である。第３実施例の植栽設備は第１実施例と同様の効果を奏すると共に、給水管３００の配設位置をより正確に且つ安定させることができる。
【００２７】
第４実施例の植栽設備では、図５に示すように、平面視略正方形の基台１０３の上面に於ける略四隅近傍に、円柱形等の突起１０４の４つをそれぞれ上方に突出して形成する。縦横方向に隣り合う突起１０４・１０４間の幅は、給水管３００の幅より僅かに幅広な間隔になっている。他の構成は第１実施例と同様である。第４実施例の植栽設備は、第１実施例と同様の効果を奏すると共に、第１実施例と同一方向の縦方向等と、これと直交する方向の横方向等とを必要に応じて施工者が適宜選択して給水管３００を配設することが可能であり、給水管３００の設置形態の自由度を高めることができる。
【００２８】
次に、第５実施例の植栽設備について説明する。
【００２９】
第５実施例の植栽設備は、屋上等の敷設面に貯水槽１００を敷設し、貯水槽１００内に植栽コンテナ２００を載置して第１実施例の植栽設備に相当する植栽ユニットを構成し、その植栽ユニットの複数を隣接して敷設面に並設し、隣接する植栽ユニットの内向きへこみ部２０３・２０３相互間で形成される空間に給水管３００を定置して配設し、その給水管３００で両側の貯水槽１００・１００に給水するものである。尚、第５実施例の植栽コンテナ２００の構成は第１実施例の植栽コンテナ２００とほぼ同一構成であるが、内向きへこみ部２０３が側壁２０１からＳ字形に緩やかに湾曲して形成されている。
【００３０】
第５実施例の貯水槽１００は、図７及び図８に示すように、平面視略正方形の上面開口の箱形であり、側壁１０１と底板１０２を有し、内部に貯水される。貯水槽１００の四隅には、平面視１／４円弧状で板状からなる基台１０３がそれぞれ設けられ、基台１０３の上面は側壁１０１の上端と同一高さで、側壁１０１の上端と連なる平面になっている。各基台１０３の上面には、中空で截頭円錐形の突起１０４ｂが一つずつ一体的に立設され、突起１０４ｂは側壁１０１の上端位置から上方に突出している。突起１０４ｂは、後述の連係部１０６、１０７で連結して貯水槽１００を隣接配置した状態で、隣接する突起１０４ｂとの間に給水管３００の幅と略同一間隔が形成される位置に設けられている。
【００３１】
４つの側壁１０１の内、一方の隣り合う２辺の側壁１０１には、その上端に沿って断面略鉤形の幅広連係部１０６が外方に突出形成され、他方の隣り合う２辺の側壁１０１には、その上端に沿って断面略鉤形の幅狭連係部１０７が外方に突出形成されており、幅広連係部１０６と幅狭連係部１０７は略同形で幅広連係部１０６が幅狭連係部１０７に覆い被さる大きさになっている。
【００３２】
一方の対向する２辺の側壁１０１に設けられている幅広連係部１０６と幅狭連係部１０７には、２箇所の対応する位置に流水凹部１０８が形成されており、幅広連係部１０６の流水凹部１０８と幅狭連係部１０７の流水凹部１０８は略同形で、幅広連係部１０６の流水凹部１０８が幅狭連係部１０７の流水凹部１０８に覆い被せることが可能な大きさになっている。即ち、一の貯水槽１００の幅狭連係部１０７に隣接して敷設する他の貯水槽１００の幅広連係部１０６を覆い被せて係合した場合に、前記幅狭連係部１０７の流水凹部１０８に前記幅広連係部１０６の流水凹部１０８が覆い被さって係合され、流水凹部１０８を介して貯水槽１００相互に流水される構成である。前述の如く流水凹部１０８を対向する２辺に設け、貯水槽１００相互の流水方向を一方向に規制することで、例えば敷設面に多少の不陸がある場合にも、高い位置の上流側等から給水して全ての貯水槽１００に確実に給水することが可能となる。また、１辺に二箇所の流水凹部１０８を設ける、或いは貯水槽１００の隅部近傍に流水凹部１０８を設けることで、例えば敷設面の勾配で貯水槽１００の隅部から水分が漏れることを極力防止できる。
【００３３】
第５実施例の植栽設備を構成する場合には、図８に示すように、一の貯水槽１００の幅狭連係部１０７上に他の貯水槽１００の幅広連係部１０６を係合して連結ながら貯水槽１００の複数を隣接して並設し、貯水設備を構成する。各貯水槽１００を隣接して配置した状態では、一の貯水槽１００の突起１０４ｂと他の貯水槽１００の突起１０４ｂは、給水管３００の幅と略同一間隔或いはその上部が僅かに広い間隔で配置される。そして、図９に示すように、隣接する貯水槽１００・１００の連結箇所の幅広連係部１０６上と基台１０３・１０３上で、且つ突起１０４ｂ・１０４ｂ間に給水管３００を配設する。配設した給水管３００は、幅広連係部１０６の上面や基台１０３の上面に載置され、且つ突起１０４ｂ・１０４ｂの内側に当接することから、設置状態が安定する。
【００３４】
その後、図６に示すように、各貯水槽１００内に植栽コンテナ２００を設置し、植栽コンテナ２００内に植物育成材２０６を充填し、植物育成材２０６に植物２０７を植え、更に、必要に応じて任意の植栽コンテナ２００について、植栽する代わりに、植物育成材２０６上に保水透水部材２０８を設置して、植栽設備を構成する。
【００３５】
第５実施例の植栽設備は、隣接する植栽コンテナ２００・２００の内向きへこみ部２０３・２０３相互間で、且つ隣接する貯水槽１００・１００の側壁１０１・１０１の上方に位置する空間で、下側の貯水槽１００・１００の基台１０３・１０３及び連係部１０６、１０７と、両側の突起１０４ｂ・１０４ｂとで給水管３００を保持し、給水管３００の全長に亘って保持することが可能であり、給水管３００が撓むことを防止することができる。更に、給水管３００は両側の突起１０４ｂ・１０４ｂで略挟持され定置されるので、１本の給水管３００で両側の貯水槽１００・１００にほぼ等量の水分を確実に供給することが可能となり（図６（ｂ）の一点鎖線参照）、貯水槽１００毎の貯水量の偏りを防止することができる。更に、貯水槽１００内に直接或いは幅広連係部１０６を介して給水管３００からの水分が供給され、大部分の水分が有効利用されるので、従来技術の貯水樋の切欠部から水分が流出して無駄になること等を防止できる。
【００３６】
更に、保水透水部材２０８を設けた植栽コンテナ２００は、貯水槽１００内の水分を吸水凸部２０４の吸水孔から吸水し、毛細管現象で上昇させて保水透水部材２０８に導水し、保水透水部材２０８から蒸散して、外気温や建物の最上階等の温度上昇を気化熱で抑制することが可能であり、植物２０７を植栽する植栽コンテナ２００に加え、意匠性や歩行路を形成するなど機能性により植物２０７を植栽しない植栽コンテナ２００においても、温度上昇抑制効果を発揮することができる。尚、屋上等でコンクリートが露出している場合、例えば夏季には１０割の太陽放射熱に対して約２割を反射して残りの約８割を蓄熱し、この蓄熱で最上階の部屋の温度が上昇し、外気温も高くなる。これに対し、各実施例の植栽設備を屋上等に設けた場合、例えば夏季には１０の太陽放射熱に対して約１割を反射し、約２割を蓄熱して、残りの約７割を蒸散の気化熱として奪うことが可能となり、最上階の温度上昇や外気温の上昇に対する高い抑制効果が得られ、ヒートアイランド現象の緩和等を図ることができる。その他、対応する構成により第１実施例と同様の効果が得られる。
【００３７】
尚、第５実施例の植栽設備を構成する際に、貯水槽１００、植栽コンテナ２００、給水管３００を設ける順序は上記例以外にも適宜であり、例えば貯水槽１００に植栽コンテナ２００を設置した後に、隣接する貯水槽１００を連係部１０６、１０７を係合して設置し、給水管３００を配設し、隣接する植栽コンテナ２００を設置する構成や、予め植栽コンテナ２００に植物育成材２０６や植物２０７を設ける構成としてもよい。また、保水透水部材２０８は、保水性又は透水性を有するものであれば適宜であり、例えば透水性アスファルト混合物、透水性セメントコンクリート、透水性セメントモルタル、透水性石油樹脂混合物、廃ガラス、建築廃材、下水道或いは上水道からでる汚泥等を固化して形成される多孔質成形ブロック、或いは不透水性のブロックに複数の孔を穿設した部材等とすることが可能であり、蒸散作用を有するもの（蒸散作用発生部材）であれば全て含まれる。また、保水透水部材２０８を設ける植栽コンテナ２００内には、植物育成材２０６に代え、例えば不織布や不織布を複数枚積層して構成される部材など、他の毛細管現象を発生する部材や材料を設けてもよい。
【００３８】
また、上記給水管３００に代え、図１０に示す給水管３００を用いてもよい。図１０の給水管３００は、特殊なポリエチレン等で形成され、多孔質で且つ可撓性を有し、幅方向両側で側方に突出する突出片３０１が設けられており、施工時には平らな形状で、給水時に流水で膨らんで略円形となる。突出片３０１は、例えば上下の別部材を固着して給水管３００を構成する場合の側方の固着箇所或いは継ぎ目、又は一体形成される。前記給水管３００を施工する際には、図１０（ａ）に示すように、平らな状態の給水管３００を突起１０４ｂの上面に載置する。その後、給水時に流水で給水管３００が略円形に膨らみ、突起１０４ｂ・１０４ｂ上にそれぞれ突出片３０１が載置されると共に、給水管３００の突出片３０１・３０１間の部分は突起１０４ｂ・１０４ｂ間に配置される。即ち、給水管３００は、給水時に膨らみ、突起１０４ｂ・１０４ｂ相互間に入り込んで正確な位置に移動する（図１０（ｂ）参照）。給水終了後には、給水管３００に水分が残留するので、両側の突出片３０１・３０１が突起１０４ｂ・１０４ｂの上面で支持された状態が維持され、給水管３００は所定位置から移動しない（図１０（ｃ）参照）。
【００３９】
図１０の給水管３００を用いることにより、施工時に給水管３００を正確な位置に配設せずとも、給水時に正確な位置に移動することが可能であり、施工性が向上し、例えば可撓性の給水管でも容易に施工することができる。更に、給水終了後にも、正確な位置で給水管３００が保持されるので、貯水槽１００に確実に給水することが可能である。
【００４０】
次に、第６実施例、第７実施例の植栽設備について説明する。第６実施例、第７実施例の植栽設備は、第１〜第５実施例では貯水槽１００に突起１０４、１０４ａ、１０４ｂや凹溝１０５が一体的に形成されていたのに対し、突起や溝を有する保持部材５００、５００ａを用い、保持部材５００、５００ａを貯水槽１００に係合或いは嵌合する等で固定し、保持部材５００、５００ａの突起や溝で給水管３００を保持するものである。尚、第６実施例、第７実施例に於ける貯水槽１００は、側壁１０１と底板１０２とからなる平面視略方形の箱形で、連係部等がないものであり、また、植栽コンテナ２００、給水管３００は、例えば第１〜第５実施例の植栽コンテナ２００、給水管３００と同一である。
【００４１】
第６実施例に於ける別体の保持部材５００は、図１１に示すように、中実で直方体形の基台５０１を有する。基台５０１には平面視十字形に下面から切り込まれて連係凹部５０２が形成され、連係凹部５０２の深さは貯水槽１００の側壁１０１の高さと略同一で、幅は貯水槽１００の側壁１０１の二枚分の厚さより僅かに大きくなっている。また、基台５０１の上面の四隅近傍には、中実で截頭円錐形の突起５０３がそれぞれ立設され、縦横に隣り合う突起５０３・５０３相互の間隔は給水管３００の幅と略同一になっている。別体の保持部材５００を設置する際には、４つの貯水槽１００の四隅を突合し、且つ側壁１０１・１０１を隣接させて貯水槽１００を並設し、４つの貯水槽１００の四隅が突合する箇所で、隣接する側壁１０１・１０１に連係凹部５０２を係合して設置する。給水管３００は第１実施例等と同様に突起５０３・５０３間に配設する。尚、基台５０１の上面に設ける突起５０３の個数は２個以上であれば適宜である。
【００４２】
第７実施例に於ける別体の保持部材５００ａは、図１２に示すように、平面視略長方形で、断面視Ｕ字形若しくは半円形の凹溝５０４が上面に長手方向へ形成され、また、下面から切り込まれて断面視略Ｉ字形の連係凹部５０２が形成されている。連係凹部５０２の深さは貯水槽１００の側壁１０１の高さと略同一で、幅は貯水槽１００の側壁１０１の二枚分の厚さより僅かに大きくなっている。別体の保持部材５００ａを設置する際には、側壁１０１・１０１を隣接させて貯水槽１００を並設し、隣接する側壁１０１・１０１の所定箇所に連係凹部５０２を係合して設置する。給水管３００は第３実施例と同様に凹溝５０４内に配設する。
【００４３】
別体の保持部材５００、５００ａを係合設置することにより、貯水槽１００を相互に連係することができると同時に、給水管３００を定置保持可能な構造を設けることができる。更に、側壁１０１と底板１０２とからなる単純な貯水槽１００を用い、必要箇所だけに適宜保持部材５００、５００ａを設置して給水管３００を配設することができるので、全体的に安価に提供することができる。更に、給水管３００の形状や大きさ等の種類に応じて、様々な別体の保持部材５００等を準備することで、様々な種類の給水管３００に対応して柔軟な施工が可能である。
【００４４】
次に、本発明の植栽設備の更なる変形例について説明する。
【００４５】
上記第１、第６実施例等では、貯水槽１００や保持部材５００に円筒形、円柱形、截頭円錐形の突起１０４、５０３等を設け、突起１０４、５０３等の相互間で給水管３００を保持する構成、第３、第７実施例では、貯水槽１００や保持部材５００ａに凹溝１０５、５０４を設け、凹溝１０５、５０４内に給水管３００を配設して保持する構成としたが、給水管３００を略定置して保持できる構成であれば適宜である。
【００４６】
また、貯水槽１００に突起を設ける場合、必ずしも四隅に設ける必要はなく、例えば図１３の第８実施例に示すように、貯水槽１００の対向する二隅の基台１０３に突起１０４ｃを形成し、貯水槽を連係した際に突起１０４ｃが千鳥配置になるように構成し、千鳥配置の突起１０４ｃで給水管３００を保持するようにしてもよい。前記構成により、貯水槽１００の構造を簡略化することができる。
【００４７】
また、突起を貯水槽１００の側壁１０１の中央や底板の中央等に設け、給水管３００を植栽コンテナ２００の中央下部に配設する構成としてもよい。例えば図１４の第９実施例のように、貯水槽側壁１０１の連係部１０６、１０７の中央に対となる突起１０４ｄ・１０４ｄをそれぞれ設け、植栽コンテナ２００の底部に給水管３００を収容可能な断面視略半円形の凹溝２０９を形成し、連係部１０６、１０７や側壁１０１の上端面に突起１０４ｄ・１０４ｄで挟持して給水管３００を配設すると共に、植栽コンテナ２００の底部の凹溝２０９内に給水管３００を収容する構成とすることができる。
【００４８】
或いは、例えば図１５の第１０実施例のように、貯水槽１００の底板１０２の中央に一体又は別体の基台１０３ａを設け、基台１０３ａの上面に上方に突出する４つの突起１０４ｅを形成し、植栽コンテナ２００の底部に給水管３００及び突起１０４ｅ・１０４ｅを収容可能な断面視略方形の凹溝２０９ａを形成し、基台１０３ａの上面に対となる突起１０４ｅ・１０４ｅで挟持して給水管３００を配設すると共に、植栽コンテナ２００の底部の凹溝２０９ａ内に給水管３００及び突起１０４ｅ・１０４ｅを収容する構成等とすることが可能である。尚、第１０実施例では、給水管３００を中央の基台１０３ａと側壁１０１の上端及び幅広連係部１０６等で支持するため、可撓性の給水管３００を用いる場合にも撓みを防止或いは抑制し、所望の位置に正確、確実に給水管３００を配設することができる。
【００４９】
また、複数の隣接する貯水槽１００・１００を相互に連結する構成は、上記連係部１０６、１０７で連結する構成や別体の連係凹部５０２を有する保持部材５００、５００ａで連結する以外にも適宜であり、例えば全体が断面略コ字形で基板と両側の側壁を有し、前記側壁が断面略コ字形で下面から側壁１０１への係合部となる切り込みが形成されている別体の連結部材で連結する構成や、側壁１０１の所定箇所の上端にフック状の連係部を一体形成し、前記連係部で隣り合う貯水槽１００の側壁１０１に引っ掛けて係合することで連結する構成等とすることが可能である。また、例えば植栽コンテナ２００の側壁２０１の上端に貯水槽１００の連係部１０６、１０７と同様の連係部を設け、隣り合う植栽コンテナ２００・２００を前記連係部を係合して連結する構成や、或いは前記貯水槽１００に一体形成されたフック状の連係部や前記別体の連結部材を係合して連結する構成等とすることが可能である。更に、連係部１０６、１０７等の一体形成された連係部や前記別体の連結部材等は、隣接する側壁１０１・１０１相互間或いは側壁２０１・２０１相互間に配置される部分等が可撓性を有するものとすると、敷設面の不陸を吸収することが可能となり、施工性を向上することができて好適である。その他、連係部や連結部材は、側壁１０１、２０１を挟持する断面略Ｕ字形やＶ字形の部分を有する部材等とすることも可能である。
【００５０】
また、貯水槽１００、植栽コンテナ２００の構成や形状等は、例えば平面視略円形、平面視略多角形で適宜の大きさの貯水槽１００、植栽コンテナ２００とする、或いはこれらの組合せとするなど適宜であり、更に、上記実施例の適宜の構成を他の実施例の構成に附加し、或いは変更したものや、実施例の構成を部分的な作用効果が奏する限度で削除したものも本発明に含まれる。
【００５１】
尚、本発明の更なる変形例として、植栽コンテナ２００等による植栽部を設けず、単に貯水槽１００、給水管３００、給水管３００を保持する構造で構成される貯水設備とすることも可能であり、前記貯水設備を屋上面等に設け、貯水或いは供給される水分の蒸発で温度上昇を抑制して、ヒートアイランド現象を緩和することができる。また、貯水槽１００内に植栽コンテナ２００を設けるユニットタイプの植栽設備以外に、所謂客土タイプの植栽設備とすることも可能であり、例えば貯水槽１００上に略平らな不織布等の支持部を設け、その支持部上に植物育成材２０６を敷設し、所定箇所で給水管３００を保持する構成等とする。また、温度上昇抑制構造に関し、敷設する一部或いは全ての貯水槽１００に保水透水部材２０８を直接配設する構成や、或いは貯水槽１００上に不織布等からなる支持部を設け、その支持部上に保水透水部材２０８を配設する構成や、或いは支持部上に更に毛細管現象を発生する所定部材を敷設し、前記所定部材上に保水透水部材を配設する構成等、給水管３００を所定箇所で保持する構成とし、更に、前記構成で、植物育成材２０６に植栽するエリアと保水透水部材２０８を配設するエリア等を設ける構成でもよい。
【産業用の利用可能性】
【００５２】
本発明の植栽設備は、例えば屋上緑化等で用いる植栽設備として利用することができる。
【図面の簡単な説明】
【００５３】
【図１】（ａ）は第１実施例の植栽設備を示す平面図、（ｂ）はその一部断面正面図、（ｃ）はその一部断面右側面図。
【図２】（ａ）は第１実施例に於ける貯水槽を示す平面図、（ｂ）はその一部断面正面図、（ｃ）はその一部断面右側面図。
【図３】（ａ）は第２実施例に於ける図２の鎖線円内に対応する箇所の平面図、（ｂ）はその正面図、（ｃ）はその右側面図。
【図４】（ａ）は第３実施例に於ける図２の鎖線円内に対応する箇所の平面図、（ｂ）はその正面図、（ｃ）はその右側面図。
【図５】（ａ）は第４実施例に於ける図２の鎖線円内に対応する箇所の平面図、（ｂ）はその正面図、（ｃ）はその右側面図。
【図６】（ａ）は第５実施例の植栽設備を示す一部断面正面図、（ｂ）は同図（ａ）の鎖線円内の拡大図。
【図７】（ａ）は第５実施例に於ける貯水槽を示す平面図、（ｂ）はその正面図、（ｃ）はその右側面図。
【図８】（ａ）は第５実施例に於ける貯水設備を示す平面図、（ｂ）はその正面図。
【図９】（ａ）は図８（ａ）の鎖線円内の拡大平面図、（ｂ）は図８（ｂ）の鎖線円内の拡大正面図、（ｃ）は図９（ａ）に給水管を配設した状態を示す平面図、（ｄ）は図９（ｂ）に給水管を配設した状態を示す正面図。
【図１０】（ａ）は第５実施例の植栽設備に別例の給水管を施工した状態に於ける図９（ｂ）の箇所の一部断面正面図、（ｂ）は同図（ａ）の給水管による給水時の状態を示す一部断面正面図、（ｃ）は同図（ａ）の給水管による給水終了時の状態を示す一部断面正面図。
【図１１】（ａ）は第６実施例に於ける別体の保持部材の取付前の状態を示す部分斜視図、（ｂ）は同図（ａ）の保持部材の取付状態を示す部分斜視図。
【図１２】（ａ）は第７実施例に於ける別体の保持部材の取付前の状態を示す部分斜視図、（ｂ）は同図（ａ）の保持部材の取付状態を示す部分斜視図。
【図１３】第８実例例に於ける貯水設備を示す平面図。
【図１４】（ａ）は第９実施例に於ける貯水槽の平面図、（ｂ）は同図（ａ）の貯水槽を使用した植栽設備を示す正面図。
【図１５】（ａ）は第１０実施例に於ける貯水槽の平面図、（ｂ）は同図（ａ）の貯水槽を使用した植栽設備を示す正面図。
【符号の説明】
【００５４】
１００  貯水槽
１０１  側壁
１０２  底板
１０３、１０３ａ  基台
１０４、１０４ａ、１０４ｂ、１０４ｃ、１０４ｄ、１０４ｅ  突起
１０５  凹溝
１０６  幅広連係部
１０７  幅狭連係部
１０８  流水凹部
２００  植栽コンテナ
２０３  内向きへこみ部
２０６  植物育成材
２０７  植物
２０８  保水透水部材
３００  給水管
３０１  突出片
５００、５００ａ  保持部材
５０１  基台
５０２  連係凹部
５０３  突起
５０４  凹溝
【図１】
2005304310.tif 000003
【図２】
2005304310.tif 000004
【図３】
2005304310.tif 000005
【図４】
2005304310.tif 000006
【図５】
2005304310.tif 000007
【図６】
2005304310.tif 000008
【図７】
2005304310.tif 000009
【図８】
2005304310.tif 000010
【図９】
2005304310.tif 000011
【図１０】
2005304310.tif 000012
【図１１】
2005304310.tif 000013
【図１２】
2005304310.tif 000014
【図１３】
2005304310.tif 000015
【図１４】
2005304310.tif 000016
【図１５】
2005304310.tif 000017